(57)【要約】  センサユニットは、物体の温度を非接触で検出する非接触型センサと、非接触型センサを収納するユニットケースと、非接触型センサを、上方に駆動してユニットケース内に収納し、下方に駆動してユニットケース外に突出させる第一駆動源と、非接触型センサを回転駆動させる第二駆動源と、非接触型センサとユニットケース外に設けられた制御装置とを接続し、非接触型センサで検出した信号を制御装置に送信する通信線と、を備え、通信線は、ユニットケース内において、非接触型センサの上部から上方に延び、非接触型センサの上方から下方に向かって円弧を描くように取り回されているものである。
2017022134.tif 000002
【特許請求の範囲】
【請求項１】
物体の温度を非接触で検出する非接触型センサと、
前記非接触型センサを収納するユニットケースと、
前記非接触型センサを、上方に駆動して前記ユニットケース内に収納し、下方に駆動して前記ユニットケース外に突出させる第一駆動源と、
前記非接触型センサを回転駆動させる第二駆動源と、
前記非接触型センサと前記ユニットケース外に設けられた制御装置とを接続し、前記非接触型センサで検出した信号を前記制御装置に送信する通信線と、を備え、
前記通信線は、
前記ユニットケース内において、前記非接触型センサの上部から上方に延び、前記非接触型センサの上方から下方に向かって円弧を描くように取り回されている
センサユニット。
【請求項２】
前記ユニットケースは、
前記非接触型センサを収納するセンサ収納部と、
前記センサ収納部の上方に前記通信線を収納する通信線収納部と、を備え、
前記非接触型センサの前記センサ収納部への収納時において、前記通信線の円弧の頂部と前記通信線収納部の上面との間に空隙を有する
請求項１に記載のセンサユニット。
【請求項３】
前記ユニットケースは、前記通信線の円弧の頂部よりも下方に前記通信線を固定する固定部を備えている
請求項１または２に記載のセンサユニット。
【請求項４】
前記ユニットケースは、前記固定部を複数備えている
請求項３に記載のセンサユニット。
【請求項５】
前記通信線は、
前記固定部の下方から上方に向かって円弧を描くように取り回されている
請求項３または４に記載のセンサユニット。
【請求項６】
前記通信線を複数有し、
複数の前記通信線を結束する結束部材を備え、
前記結束部材は、前記固定部に固定されている
請求項３〜５のいずれか一項に記載のセンサユニット。
【請求項７】
外郭を構成する筐体と、
前記筐体の下部に設けられた請求項１〜６のいずれか一項に記載のセンサユニットと、
前記センサユニットの前記非接触型センサを制御する前記制御装置と、を備えた
空気調和機の室内機。
【発明の詳細な説明】
【技術分野】
【０００１】
本発明は、物体の温度などを非接触で検出する非接触型センサを有するセンサユニット、およびそれを備えた空気調和機の室内機に関し、特にセンサユニットの通信線の取り回しに関するものである。
【背景技術】
【０００２】
物体の温度などを非接触で検出する非接触型センサを有するセンサユニットにおいて、例えば、空気調和装置の室内機に設けられているものがある（例えば、特許文献１参照）。
特許文献１に記載の空気調和機の室内機は、運転時に非接触型センサが水平方向に回転駆動し、空調対象域の人体の温度、壁の温度、床の温度、家具の位置、人体の活動量、天井の温度、日射量、間取りなど、を広範囲に走査して検出している。そうすることで、無駄な空調を省いた運転、つまり、消費電力を低減した運転を行うことができるようになっている。なお、非接触型センサの主なものとして、焦電型、熱起電力型などの熱型赤外線検出センサ、および可視光カメラなどがある。【０００３】
また、特許文献１に記載の空気調和機の室内機は、停止時は非接触型センサが室内機の収納部へ収納され、外観影響を抑制することができるようになっている。一方、運転時は非接触型センサが螺旋状のガイドに沿って回転しながら徐々に室内機から突出し始め、ガイドの終点まで回転したところで非接触型センサは一度停止する。このとき、非接触型センサは収納部から最大に突出した状態となっている。次に、ある一定角度まで逆方向に回転し、指定の角度まで回転したら、再び逆方向に回転する。その動作を繰り返すことで対象物を広範囲にわたって走査し、検出している。
【先行技術文献】
【特許文献】
【０００４】
【特許文献１】特許第５５３７３３３号公報
【発明の概要】
【発明が解決しようとする課題】
【０００５】
特許文献１に記載の空気調和機の室内機は、非接触型センサの回転に応じて、それに取り付けられている通信線も回転する。そのため、非接触型センサの回転時に生じる通信線のねじれおよび屈曲によって通信線が周囲部品と干渉してしまうことがあった。そして、通信線が周囲部品と干渉する際に通信線に過度の応力が発生し、通信線が断線して非接触型センサが対象物を検出できなくなるという課題があった。また、非接触型センサの回転時に通信線が周囲部品と干渉することにより、こすれ音が発生してしまうという課題があった。【０００６】
本発明は、以上のような課題を解決するためになされたもので、通信線の耐久性を向上させ、こすれ音の発生を抑制したセンサユニット、およびそれを備えた空気調和機の室内機を提供することを目的としている。
【課題を解決するための手段】
【０００７】
本発明に係るセンサユニットは、物体の温度を非接触で検出する非接触型センサと、前記非接触型センサを収納するユニットケースと、前記非接触型センサを、上方に駆動して前記ユニットケース内に収納し、下方に駆動して前記ユニットケース外に突出させる第一駆動源と、前記非接触型センサを回転駆動させる第二駆動源と、前記非接触型センサと前記ユニットケース外に設けられた制御装置とを接続し、前記非接触型センサで検出した信号を前記制御装置に送信する通信線と、を備え、前記通信線は、前記ユニットケース内において、前記非接触型センサの上部から上方に延び、前記非接触型センサの上方から下方に向かって円弧を描くように取り回されているものである。
【発明の効果】
【０００８】
本発明に係るセンサユニットによれば、通信線は、非接触型センサの上部から上方に伸び、上方から下方に向かって円弧を描くように取り回されているため、非接触型センサの駆動時に、通信線が周囲部品と干渉することが抑制される。その結果、通信線の耐久性を向上させることができ、こすれ音の発生を抑制することができる。
【図面の簡単な説明】
【０００９】
【図１】本発明の実施の形態１に係る空気調和機の室内機を正面側から見た外観斜視図である。
【図２】図１の非接触型センサ突出時におけるセンサユニット周辺を拡大した外観斜視図である。
【図３】図１の非接触型センサ収納時におけるセンサユニット周辺を拡大した外観斜視図である。
【図４】本発明の実施の形態１に係る空気調和装置の室内機に備えたセンサユニットの縦断面構成図であり図２に示すセンサユニットのＡ−Ａ断面図である。
【図５】本発明の実施の形態１に係る空気調和装置の室内機に備えたセンサユニットの縦断面構成図であり図４に示すセンサユニットのＣ−Ｃ断面図である。
【図６】本発明の実施の形態１に係る空気調和装置の室内機に備えたセンサユニットの縦断面構成図であり図３に示すセンサユニットのＢ−Ｂ断面図である。
【図７】本発明の実施の形態１に係るセンサユニットを背面側から見た外観図であり図４に示すセンサユニットのＤ矢視図である。
【図８】本発明の実施の形態１に係る空気調和機の室内機を正面側から見た外観斜視図である。
【図９】図７の変形例を示すセンサユニットを背面視した外観図であり図４に示すセンサユニットのＥ矢視図である。
【図１０】図８の変形例を示す空気調和機の室内機を正面側から見た右側面斜視図である。
【図１１】本発明の実施の形態２に係る空気調和装置の室内機に備えたセンサユニットの縦断面構成図であり図２に示すセンサユニットのＡ−Ａ断面図である。
【図１２】本発明の実施の形態２に係る空気調和装置の室内機に備えたセンサユニットの縦断面構成図であり図１１に示すセンサユニットのＦ−Ｆ断面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る空気調和機の室内機１００を正面側から見た外観斜視図である。
なお、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。また、室内機１００およびセンサユニット２００を正面視した状態において、「上」、「下」、「右」、「左」、「前」、「後」を使用する。
【００１２】
以下、図１に基づいて、室内機１００の構成について説明する。  
本実施の形態１に係る室内機１００は、冷媒を循環させる冷凍サイクルを利用することで室内などの空調対象域に空調空気を供給するものである。
室内機１００は、図１に示すように、外郭を構成する筐体１を有しており、筐体１の上部には、主に室内空気を内部に吸い込むための吸込口２が開口形成されている。また、筐体１の前面側下部には、空調空気を空調対象域に供給するための吹出口３が開口形成されており、吹出口３の形成位置には、空調空気の吹き出し方向の上下を調整する上下風向板４ａ、４ｂと、前後方向に開閉する前面駆動パネル１０と、が設けられている。また、上下風向板４ｂには空気の吹き出し方向の左右を調整する左右風向板５が設けられている。
【００１３】
また、室内機１００内部、つまり、筐体１内部には、吸込口２から室内空気を吸い込み、吹出口３から空調空気を吹き出す送風ファン（図示せず）、および、吸込口２から吹出口３までの風路に配設され、冷媒と室内空気とで熱交換することで空調空気を作り出す熱交換器（図示せず）、などが収納されている。
【００１４】
筐体１の右側下部には、空調対象域の物体、例えば、人体、壁、床の温度などを非接触で検出する非接触型センサ８００を有するセンサユニット２００が設けられている。このセンサユニット２００は、その大部分が筐体１の内部に位置し、一部が筐体１の外部に位置するように設けられている。
【００１５】
なお、非接触型センサ８００は、例えば、焦電型、熱起電力型などの熱型赤外線検出センサ、または、可視光カメラ、測距センサ、ドップラーセンサ、光度センサ、マイクなどである。また、センサユニット２００の下部にはセンサ収納口６が形成されており、そのセンサ収納口６から非接触型センサ８００がセンサユニット２００内部、つまり室内機１００内部に収納可能、および、センサユニット２００外部、つまり室内機１００外部に突出可能となっている。
【００１６】
なお、上記上下風向板４ａ、４ｂは２枚で構成されているが、それに限定されず、１枚、または、３枚、４枚など複数枚で構成されていてもよい。また、左右風向板５は上下風向板４ｂに設けられているが、それに限定されず、独立した位置、例えば上下風向板４ａと４ｂとの間に設けてもよい。
【００１７】
図２は、図１の非接触型センサ８００突出時におけるセンサユニット２００周辺を拡大した外観斜視図である。
室内機１００の運転時は、図２に示すように非接触型センサ８００がセンサユニット２００の下部に形成されたセンサ収納口６から室内機１００外部に突出するようになっている。そして、非接触型センサ８００が水平方向、つまり、左右方向に回転駆動することで、空調対象域の物体の温度などを広範囲にわたって走査し、検出している。
【００１８】
なお、非接触型センサ８００の検出対象としては、例えば、人体の温度、壁の温度、床の温度、天井の温度、日射量、部屋の距離、間取り、光量などがある。
また、前面駆動パネル１０を開き、上下風向板４ａ、４ｂも吹出口３を覆わないように位置させることで、吹出口３から空調空気を吹き出している。
【００１９】
図３は、図１の非接触型センサ８００収納時におけるセンサユニット２００周辺を拡大した外観斜視図である。
また、室内機１００の停止時は、図３に示すように非接触型センサ８００がセンサユニット２００の下部に形成されたセンサ収納口６から室内機１００内部に収納されるようになっており、外観影響を抑制している。なお、室内機１００の運転時において、非接触型センサ８００を使用しない場合も同様である。
【００２０】
また、上下風向板４ａ、４ｂは吹出口３と左右風向板５を覆うように位置させ、前面駆動パネル１０を閉じることで、外観影響を抑制している。
【００２１】
図４は、本発明の実施の形態１に係る空気調和装置の室内機１００に備えたセンサユニット２００の縦断面構成図であり図２に示すセンサユニット２００のＡ−Ａ断面図である。なお、図４は、非接触型センサ８００がセンサユニット２００外部に突出した図を示している。
以下、センサユニット２００の構成について説明する。
【００２２】
センサユニット２００は、ユニット下ケース４１とユニット上ケース４２とで構成され、外郭を構成するユニットケース３００と、下ケースの４２の下部に形成されたセンサ収納口６からユニットケース３００内部に収納可能、および、ユニットケース３００外部に突出可能な非接触型センサ８００と、非接触型センサ８００を覆い保護している円筒状のセンサケース３５と、非接触型センサ８００を上下方向に駆動する駆動装置３１と、非接触型センサ８００を左右方向に回転駆動する回転駆動装置３０と、を備えている。また、ユニットケース３００の右側部には、通信線４３が貫通できる穴部４５が形成されている。
【００２３】
非接触型センサ８００は、上部にコネクタ（図示せず）が設けられており、そのコネクタに弾性力のある複数本の通信線４３が接続されている。通信線４３は、センサユニット２００の外部に設けられている室内制御装置５０とも接続されており、非接触型センサ８００で検出した信号を室内制御装置５０に送信する。また、通信線４３は、非接触型センサ８００の上下駆動時および回転駆動時において周囲部品と干渉しないように設けられている。
【００２４】
駆動装置３１は、ユニット下ケース４１内部で固定されており、歯車３２を回転させるように歯車３２と同軸に配置されている。また、上下駆動レール３３は歯車３２と噛合う位置に配置されている。
【００２５】
回転駆動装置３０は、ユニット上ケース４２内部で固定されており、シャフト３６と歯車３８とを回転させるように、シャフト３６および歯車３８と同軸上に配置されている。また、歯車３９は歯車３８と噛合う位置に配置されており、回転によって非接触型センサ８００を左右方向に回転させられるように、センサケース３５に固定されている。また、歯車３９には、非接触型センサ８００が一定以上回転しないようにストッパー３９ａが設けられている。
【００２６】
また、歯車３８と歯車３９とを保持するようにレールカバー３７が設けられており、レールカバー３７は、上下駆動レール３３に固定されている。また、レールカバー３７には通信線４３が貫通できる穴、およびシャフト３６が貫通できる穴がそれぞれ形成されている。また、レールカバー３７には、非接触型センサ８００が一定以上回転しないようにストッパー３７ａが設けられている。
【００２７】
そして、駆動装置３１が回転駆動することにより、その動力が歯車３２を介して上下駆動レール３３に伝わり、上下駆動レール３３が上下に移動することにより、歯車３８、３９およびそれらを保持しているレールカバー３７と一緒に非接触型センサ８００が上下に移動する。また、回転駆動装置３０が回転駆動することにより、歯車３８、３９を介して非接触型センサ８００が左右に回転する。
【００２８】
なお、本実施の形態１では、非接触型センサ８００を上下方向に駆動させる駆動源として駆動装置３１を、非接触型センサ８００を左右方向に回転駆動させる駆動源として回転駆動装置３０を、それぞれ備えているが、それに限定されず、同一の駆動源により非接触型センサ８００の上下方向の移動および左右方向の回転ができるようにしてもよい。
また、駆動装置３１は本発明の「第一駆動源」に相当し、回転駆動装置３０は本発明の「第二駆動源」に相当する。
【００２９】
図５は、本発明の実施の形態１に係る空気調和装置の室内機１００に備えたセンサユニット２００の縦断面構成図であり、図４に示すセンサユニット２００のＣ−Ｃ断面図である。なお、図５は、非接触型センサ８００がユニットケース３００外部に突出した図を示している。
図５に示すように、通信線４３は、非接触型センサ８００の上部中心から上方に伸び、非接触型センサ８００の上方から下方に向かって円弧を描くように取り回されている。つまり、通信線４３には、非接触型センサ８００の上方にて逆Ｕ字状に折り返された第一ターン部４３ａが形成されている。
【００３０】
そして、円弧の頂部、または、第一ターン部４３ａの頂部から下方に伸びて結束部材６０にて結束され、結束部材６０は、ユニット下ケース４１内部の左側部に設けられた固定フック６１に固定される。つまり、通信線４３は、第一ターン部４３ａの頂部よりも下方で結束部材６０にて結束され、第一ターン部４３ａの頂部よりも下方に設けられた固定フック６１に固定される。また、結束部材６０より下側の通信線４３は、ユニットケース３００の穴部４５からユニットケース３００外部へ引き出されて、室内制御装置５０に接続される。
【００３１】
なお、本実施の形態１では、図５に示すように、固定フック６１がユニットケース３００内部の左側部に設けられており、穴部４５もユニットケース３００の左側部に形成されているが、それに限定されない。固定フック６１は、ユニットケース３００内部の右側部または前面部に設けてもよいし、穴部４５もユニットケース３００の右側部または前面部に形成してもよい。
【００３２】
また、固定フック６１は、本発明の「固定部」に相当する。
【００３３】
以上のように、通信線４３は、非接触型センサ８００の上方へ伸び、非接触型センサ８００の上方から下方に向かって円弧を描くように取り回されて、第一ターン部４３ａが形成され、第一ターン部４３ａの頂部から下方に伸びて結束部材６０にて結束される。
そのため、非接触型センサ８００が左右方向へ回転駆動することだけでなく、上下方向へ移動することも可能となり、通信線４３が周囲部品と干渉するのを抑制でき、周囲部品との擦れ音の低減および通信線４３の耐久性向上を得ることができる。
【００３４】
また、通信線４３の非接触型センサ８００の上方へ伸ばす量を増やすことにより、通信線４３の長さ調整代を広げることが可能となるため、通信線４３に係るコストを安くすることができる。
【００３５】
また、複数本の通信線４３は、それらが第一ターン部４３ａの頂部よりも下方で結束部材６０にて結束されている。そのため、各通信線４３のばらつきを抑制することが可能となる。そして、各通信線４３のばらつきを抑制することにより、通信線４３の擦れ音の低減、耐久性向上、および、組み付け作業性の向上を図ることができる。なお、各通信線４３のばらつきを抑制するために、各通信線４３を撚り合わせて、または、捩ってまとめてもよい。
【００３６】
図６は、本発明の実施の形態１に係る空気調和装置の室内機１００に備えたセンサユニット２００の縦断面構成図であり、図３に示すセンサユニット２００のＢ−Ｂ断面図である。なお、図６は、非接触型センサ８００がユニットケース３００内部に収納された図を示している。
【００３７】
図６に示すように、ユニット上ケース４２はユニット下ケース４１の上部に配置されており、ユニット上ケース４２は、通信線４３が収納される通信線収納部４０と、上下駆動レール３３が収納されるレール収納部３４と、を備えている。
【００３８】
通信線収納部４０を備えることにより、図４に示すように非接触型センサ８００がユニットケース３００外部に突出している時のみならず、図６に示すように非接触型センサ８００がユニットケース３００内部に収納されている時でも、通信線４３が周囲部品と干渉するのを抑制することができる。また、通信線収納部４０を備えることにより、通信線４３の擦れ音の低減および耐久性向上を図ることができる。
【００３９】
また、通信線４３が、非接触型センサ８００の上方にて円弧を描くように取り回されて、第一ターン部４３ａが形成されている構造において、非接触型センサ８００収納時に、通信線４３の第一ターン部４３ａの頂部と通信線収納部４０の上面、つまり、ユニット上ケース４２の上面との間に空隙６２を設ける。そうすることによって、非接触型センサ８００が上下方向に移動しても通信線４３とユニット上ケース４２との接触を防ぐことが可能となる。通信線４３とユニット上ケース４２との接触を防ぐことにより、通信線４３が周囲部品により挟み込まれることを防ぐことができ、擦れ音の低減および耐久性向上が得られる。
【００４０】
図７は、本発明の実施の形態１に係るセンサユニット２００を背面側から見た外観図であり図４に示すセンサユニット２００のＤ矢視図であり、図８は、本発明の実施の形態１に係る空気調和機の室内機１００を正面側から見た外観斜視図である。
図７に示すように、通信線４３は、非接触型センサ８００の上部中心から上方に伸び、非接触型センサ８００の上方から下方に向かって円弧を描くように取り回されて、第一ターン部４３ａが形成されている。そして、第一ターン部４３ａの頂部から下方に伸びて結束部材６０にて拘束される。そして、結束部材６０は、ユニット下ケース４１内部の左側部に設けられた固定フック６１に固定される。
【００４１】
結束部材６０より下側の通信線４３は、ユニットケース３００の左側部に形成された穴部４５からユニットケース３００外部へ引き出されて、室内制御装置５０に接続される。その際に、図８に示すように、結束部材６０からセンサユニット２００の左上方に設けられている室内制御装置５０へ通信線４３を取り回すために、結束部材６０の下方から上方に向かって円弧を描くように取り回されている。つまり、通信線４３には、結束部材６０の下方にてＵ字状に折り返された第二ターン部４３ｂが形成されている。
【００４２】
図９は、図７の変形例を示すセンサユニット２００を背面視した外観図であり図４に示すセンサユニット２００のＥ矢視図であり、図１０は、図８の変形例を示す空気調和機の室内機１００を正面側から見た右側面斜視図である。なお、図９は、図７とは反対の位置に結束部材６０を配置した際のセンサユニット２００を示している。
【００４３】
図９に示すように、通信線４３は、非接触型センサ８００の上部中心から上方に伸び、非接触型センサ８００の上方から下方に向かって円弧を描くように取り回されて、第一ターン部４３ａが形成されている。そして、第一ターン部４３ａの頂部から下方に伸びて結束部材６０にて拘束される。そして、結束部材６０は、ユニット下ケース４１内部の右側部に設けられた固定フック６１に固定される。
【００４４】
結束部材６０より下側の通信線４３は、ユニットケース３００の右側部に形成された穴部４５からユニットケース３００外部へ引き出されて、室内制御装置５０に接続される。その際に、図８に示すように、結束部材６０からセンサユニット２００の右上方に設けられている室内制御装置５０へ通信線４３を取り回すために、結束部材６０の下方から上方に向かって円弧を描くように取り回されている。つまり、通信線４３には、結束部材６０の下方にてＵ字状に折り返された第二ターン部４３ｂが形成されている。
【００４５】
以上のように、結束部材６０の下方に第二ターン部４３ｂを設けることにより、決まった位置にて通信線４３の取り回しが可能となり、作業者の作業性向上が図れ、信頼性の高いセンサユニット２００を提供することが可能となる。
【００４６】
なお、本実施の形態１およびその変形例では、通信線４３をセンサユニット２００の左右から取り回しているが、取り回す方向はそれらに限定されず、室内制御装置５０が設けられている位置に応じて、前方後方などセンサユニット２００のどの方向から取り回してもよい。
【００４７】
また、結束部材６０の下方から上方に向かって円弧を描くように取り回されて、第二ターン部４３ｂが形成されているとしたが、それに限定されず、第二ターン部４３ｂは、結束部材６０の上方または左右方向に設けてもよい。また、第二ターン部４３ｂを形成するために、図７においてはフック形状４４を記載しているが、固定している結束部材６０にて第二ターン部４３ｂを形成してもよい。
【００４８】
実施の形態２．
以下、本発明の実施の形態２について説明するが、実施の形態１と重複するものについては（一部の）説明を省略し、実施の形態１と同じ部分または相当する部分には同じ符号を付す。なお、図１および図２は本実施の形態２でもセンサユニット２００をセンサユニット２０１に置き換えて用いるものとする。
【００４９】
図１１は、本発明の実施の形態２に係る空気調和装置の室内機１００に備えたセンサユニット２０１の縦断面構成図であり図２に示すセンサユニット２０１のＡ−Ａ断面図であり、図１２は、本発明の実施の形態２に係る空気調和装置の室内機１００に備えたセンサユニット２０１の縦断面構成図であり図１１に示すセンサユニット２０１のＦ−Ｆ断面図である。
以下、本実施の形態２に係るセンサユニット２０１について説明する。
【００５０】
本実施の形態２に係るセンサユニット２０１は、図１２に示すように、固定フック６１がユニットケース３００内部の右側部および左側部にそれぞれ設けられており、穴部４５もユニットケース３００の右側部および左側部にそれぞれ形成されている。そのため、通信線４３をユニットケース３００の左側部および右側部のどちらからも取り出せるようになっている。なお、ユニットケース３００の左側部および右側部だけでなく、背面部、またはその他の箇所から通信線４３が取り出せるようにしてもよい。
【００５１】
以上のように、図１１および図１２に示すように、通信線４３をユニットケース３００の複数個所から取り出せるようにしておくことにより、通信線４３の取り回し自由度を増やすことが可能となり、作業者の作業性向上を図ることが可能となる。そのため、作業者の作業ミスを減らすことができ、信頼性の高いセンサユニット２０１を提供することができる。
【００５２】
なお、実施の形態１および２では、空気調和機の室内機１００に配置されているセンサユニット２００、２０１として説明したが、これに限定されるものではない。例えば、床置き型の除湿器、加湿器などにおいても、センサユニット２００、２０１を空気調和機の室内機１００の取り付け方向とは逆に取り付け、非接触型センサが上方向に突出する形態にすることで、通信線の引っ掛かりに対する信頼性は確保できる。また、非接触型センサを除湿器、加湿器などの内部に収納可能となるため、外観影響も無く、室内の対象物、例えば人体などの表面の赤外線を検出し、対象物不在の時は加湿、除湿運転を抑制し、消費電力を抑えることができる。
【符号の説明】
【００５３】
１  筐体、２  吸込口、３  吹出口、４ａ  上下風向板、４ｂ  上下風向板、５  左右風向板、６  センサ収納口、１０  前面駆動パネル、３０  回転駆動装置、３１  駆動装置、３２  歯車、３３  上下駆動レール、３４  レール収納部、３５  センサケース、３６  シャフト、３７  レールカバー、３７ａ  ストッパー、３８  歯車、３９  歯車、３９ａ  ストッパー、４０  通信線収納部、４１  ユニット下ケース、４２  ユニット上ケース、４３  通信線、４３ａ  第一ターン部、４３ｂ  第二ターン部、４４  フック形状、４５  穴部、５０  室内制御装置、６０  結束部材、６１  固定フック、６２  空隙、１００  室内機、２００  センサユニット、２０１  センサユニット、３００  ユニットケース、８００  非接触型センサ。
【図１】
2017022134.tif 000003
【図２】
2017022134.tif 000004
【図３】
2017022134.tif 000005
【図４】
2017022134.tif 000006
【図５】
2017022134.tif 000007
【図６】
2017022134.tif 000008
【図７】
2017022134.tif 000009
【図８】
2017022134.tif 000010
【図９】
2017022134.tif 000011
【図１０】
2017022134.tif 000012
【図１１】
2017022134.tif 000013
【図１２】
2017022134.tif 000014
【国際調査報告】
2017022134.tif 000015
2017022134.tif 000016
2017022134.tif 000017
2017022134.tif 000018